(57)【要約】【課題】  高電流の場合にさえ、確実で、安全で、飛跳ねしなくアークのない切換え或いは接点形成を可能とする機械的開閉接点を提供すること。【解決手段】  この発明は、固定接点（４、５、６）が配置されている絶縁材支持体（１）を有する機械的開閉接点に関する。更に、開閉レバー（２）は絶縁材支持体（１）上で回転でき且つ旋回アーム（２２）を有するように据え付けられる。更に、接点ハウジング（３）は絶縁材支持体（１）上に据え付けられ、この接点ハウジングは平行な接点フィンガー（９、１０）を支持し、その接点フィンガーは接点が形成されるときにそれぞれに開閉された固定接点（４、５、６）を両側に包囲する。【選択図】      図６
2009512123.tif 000002
【特許請求の範囲】
【請求項１】
絶縁材支持体（１）が設けられ、開閉可能な固定接点（４、５、６）に配置されており、絶縁材支持体（１）には開閉レバー（２）が回転可能に支承されており、この開閉レバーが両自由端の一方に一つの旋回アーム（２２）を、他方に一つの作動部材（２５）を有し、開閉レバー（２）が作動部材（２５）への力作用の際に突然に両静止状態の一方から各他方の静止状態へ突然に旋回できる、特に負荷タップ切換器にて切り換える機械的開閉接点において、絶縁材支持体（１）に追加的に分離軸受（３４）を中心に旋回できる接点ハウジング（３）が支承されていて、この接点ハウジング（３）は二つの平行な電気的に互いに接続した接点フィンガー（９、１０）を支持し、その接点フィンガーはそれぞれに開閉された固定接点（４、５、６）を両側に包囲し、接点ハウジング（３）は開閉レバー（２）と機械的に接続していて、この開閉レバーにより作動できることを特徴とする機械的開閉接点。
【請求項２】
開閉レバー（２）は形状一体的に接点ハウジング（３）のつまみ開口（３１）に係合するつまみ（２３）を有することを特徴とする請求項１に記載の機械的開閉接点。
【請求項３】
固定接点の一つが接点レール（６）として形成されていて、その接点レールには接点フィンガー（９、１０）が接点ハウジング（３）の運動の際に摺動することを特徴とする請求項１或いは２に記載の機械的開閉接点。
【発明の詳細な説明】
【技術分野】
【０００１】
この発明は、タップ切換器の負荷切換スイッチにおいて切り換える機械的開閉接点に関する。  
【背景技術】
【０００２】
タップ切換器用の二重極性中断する機械的開閉接点はドイツ特許第１００５０８２１号明細書（特許文献１）から知られている。この公知の機械的開閉接点は絶縁材支持体を有し、その絶縁材支持体上には固定接点が配置されていて、ボール状に形成された接点領域を有する。更に、この絶縁材支持体には接点支持体が回転可能に支承されており、この接点支持体は所定角度だけ旋回できる旋回アームと連結されている。旋回アームの自由端には接点部材が固定されていて、接点部材は両端に接点ロールを有する。旋回アームの位置に応じて接点ロールがボール状表面に対応して対向位置して配置された固定接点に当接し、これらを電気的に互いに接続する。
【０００３】
この機械的開閉接点は実際的使用に選定されたが、二重極性中断の際には機械的開閉接点が非常に高い電流を有するけれども、欠点である。一方では前記構造的構成ではボール状に形成された固定接点と旋回できる接点ロールとに望まない接点飛跳ねが生じ、他方ではこの二重極性的に中断する構造ではそれぞれの固定接点にて接点ロールの押圧を減少させる高い電流力が生じる。これは、電流収縮の結果、平面接点の狭い個所に取上げる力が生じるという物理的効果に基づいている。  
【特許文献１】ドイツ特許第１００５０８２１号明細書
【発明の開示】
【発明が解決しようとする課題】
【０００４】
したがって、この発明の課題は、高電流の場合にさえ、確実で、安全で、飛跳ねしなくアークのない切換え或いは接点形成を可能とする機械的開閉接点を提供することである。
【課題を解決するための手段】
【０００５】
この課題は、第一特許請求項の特徴事項を備える機械的開閉接点によって解決される。従属請求項はこの発明の特に好ましい実施態様に関する。
【０００６】
それぞれの固定接点を両側で包囲する接点フィンガーとしての可動接点のこの発明の構成によって、まず第一に接点飛跳ねが減少される。更に、この発明の解決策では、高く同じままである接点圧力が生じる。
【発明を実施するための最良の形態】
【０００７】
この発明は、次に図面に基づいて例として詳細に説明される。
【実施例】
【０００８】
最初に、図１と２に図示されたこの発明による機械的開閉接点が詳細に説明される。機械的開閉接点は一つの二部材の絶縁材支持体１を有し、この絶縁材支持体は別の次に記載された構成部材を受けて全配列を包囲する。図２には、内部にある構成部材をより良く図示できるように、二部材の絶縁材支持体１の上部材が省略されている。絶縁材支持体１はそれぞれに一つの形成された軸に延びている長孔１１．．．１４を備えており、更に以下でなお詳細に説明される。別の長孔１５の領域には軸受１６が設けられ、軸受には開閉レバー２がここでは図示されていない軸受ボルトによって回転自在に支承されている。横には別の軸受１７が配置されていて、この軸受は更に以下でなお詳細に記載される接点ハウジング３を受ける。最後に、絶縁材支持体１にはなおドーム状収容部１８が設けられ、その容器には、後で同様になお記載される圧縮ばね８が支持される。絶縁材支持体１には二つの対向位置する固定接点４、５並びに接点レール６が配置されている。
【０００９】
図３には、記載された絶縁材支持体はなお別に図示されている。
【００１０】
図４に一度のみ示される開閉レバー２は、軸受２１によって絶縁材支持体１の軸受１６に回転自在に固定されている。開閉レバー２は軸受２１を中心に旋回でき且つつまみ２３を自由端に有する旋回アーム２２を有する。旋回アーム２２の横には二つの逆軸受収容部２４が設けられ、この逆軸受収容部はドーム状に形成され、同様に記載すべき圧縮ばね８を支持．するのに用いられる。この対向位置する他方の自由端には開閉レバー２はフォーク状作動部材２５を有する。
【００１１】
図５にはなお示されている接点ハウジング３は、開閉レバー２のつまみ２３が係合するつまみ開口３１を有する。接点ハウジング３は更にばねガイド３３を備える接点収容部３２を有し、そこには、長孔３５を通して保持されている平行に配置された接点フィンガー９、１０が固定されている。この接点ハウジング３は軸受３４と軸受ボルト３５によって絶縁材支持体１の軸受１７に旋回自在に支承されている。
【００１２】
図６には、なお開閉レバー２、接点ハウジング３並びに接点フィンガー９、１０の共働遊びが示される。この表現では、接点レール６が貫通して形成され、即ち一部材に形成される。これはこの発明の範囲内で好ましいけれども、必要な特徴事項はない；同様に良くそのような接点レールと別の接点の代わりに、接点４と５と同様に、分離した接点部材として形成され得る。この図によると、この発明による機械的開閉接点の作用態様が説明される；負荷切換えスイッチの作動の際にロールなどが開閉レバー２の作動部材２５に移動され、この動作形状で回転されるので、全開閉レバー２がその軸受２１を中心に旋回される。接点ハウジング３のつまみ開口３１に形状一体的に案内されるつまみ２３はこの軸受３４を中心にこの接点ハウジング３を旋回させる。それにより、接点ハウジングに固定された平行な接点フィンガー９、１０がそれぞれの固定接点４、５に切換えるか、又はここには一部材に形成された接点レール６上に摺動する。両接点フィンガー９、１０がそれぞれの固定接点を両側で包囲することを観察すべきである。必要な接点圧力を発生させるそのような平行な接点フィンガー９、１０では現接点ばねはここでは見易さの理由から省略されている。説明された構成部材は、この発明によると立体的３Ｄ伝動装置として作用する。  
【００１３】
この場合には、電流力の作用の物理的効果が利用される；二つの導線が平行であり、同時に反対方向において電流により貫通されるので、これら導線が互いに突き離し、これと反対に同じ電流方向ではこれら導線が引き合う。この相互引力の物理的効果はここではそれぞれの固定接点を両側に包囲し且つ同じ電流方向に貫流されている両平行な接点フィンガー９、１０によって記載の３Ｄ伝動装置と接続して作動するように実現される。これは、先行技術に比べてこの発明の実質的利点である。
【００１４】
図７には、負荷切換えスイッチの単相用の複雑な機械的開閉接点に構成される二つのこの発明による開閉接点が示される。この場合には、一方の開閉接点Ｉは主開閉接点として
作用し、他方の開閉接点IIは抵抗開閉接点として作用する。同じ部材は同じ符号を備えて
おり；両モジュールが完全に等しく構成されることを認識すべきである。見易さの理由から、この表現では、説明された細部のすべてが符号を備えていなかった；既に説明された構成部材に追加して、ここでなお電気接続導線７が示されている。この図には、絶縁材支持体１のドーム状収容部１８と開閉レバー２のドーム状逆軸受２４との間にそれぞれに存在する圧縮ばね８が良く認識すべきである。この圧縮ばね８によってスナップ作用が達成される；それぞれの開閉レバー２は予圧された圧縮ばね８の力に逆らって旋回されて死点の超過後に確実に他方の端位置に到る。両モジュールは、既に説明されたように、根本的に等しいけれども、開閉結果と開閉速度を変更するために、両開閉レバー２の作動部材２５を種々に構成することが可能であり、多くの場合に有用である。
【００１５】
図８には、タップ切換器の電気回路が示され、この電気回路は二つの開閉接点の図７に説明された配列により実現される。回路の上領域にはタップ切換器の選択器が概略的に図示されていて、切換えられる新たな作用連結部ｎ＋１の出力なし予選択を予定し、その間に作用連結部ｎが電気的に接続されている。その下で負荷切換えスイッチＡとＢの両側面が示され、それらの間では引き続いて、中断なしの切換えが負荷下で行われる。接点ＭＣＡとＭＣＤはそれぞれの持続主接点であり、それらの一方が静止運転で閉鎖され、それにより電流案内される。ＭＳＶは主開閉分岐内の真空開閉電池を示し、ＴＴＶは追加的切換え抵抗Ｒを有する抵抗分岐内の真空開閉電池を示す。点線は、この発明による両機械的開閉接点I或いはIIにより技術的に実現される回路の一部を示す。主開閉接点として作用す
る開閉接点IIはＭＴＦとして示され、そのＭＴＦは抵抗開閉接点として作用する機械的開
閉接点Iであり、ＴＴＦとして示される。Ｙは負荷導線を示す。
【図面の簡単な説明】
【００１６】
【図１】この発明の機械的開閉接点を斜視表現に示す。
【図２】説明すべき絶縁材支持体の取り除かれた上部材を備えるこの機械的開閉接点を示す。
【図３】組立てられた別の構成部材なしのこの絶縁材支持体のみを示す。
【図４】開閉接点のみの開閉レバーを示す。
【図５】開閉接点のみの接点ハウジングを示す。
【図６】この発明の開閉接点の開閉レバー、接点ハウジング並びに接点の共働作用の概略表示を示す。
【図７】タップ切換器の主開閉接点と抵抗開閉接点用の単一の単相構成グループとしての図１による二つのこの発明による開閉接点の組合せを示す。
【図８】回路がこの発明による機械的開閉接点によって実現できるように、タップ切換器を負荷切換えする回路を示す。
【符号の説明】
【００１７】
１．．．．．絶縁材支持体
１１．．．．長孔
１２．．．．長孔
１３．．．．長孔
１４．．．．長孔
１５．．．．長孔
１６．．．．軸受
１７．．．．別の軸受
１８．．．．ドーム状収容部
２．．．．．開閉レバー                                                          ２１．．．．軸受
２２．．．．旋回アーム
２３．．．．つまみ
２４．．．．ドーム状逆軸受
２５．．．．フォーク状作動部材
３．．．．．接点ハウジング
３１．．．．つまみ開口
３２．．．．接点収容部
３３．．．．ばねガイド
３４．．．．軸受
３５．．．．軸受ボルト
４．．．．．固定接点
５．．．．．固定接点
６．．．．．接点レール
７．．．．．接続導線
８．．．．．圧縮ばね
９．．．．．接点フィンガー
１０．．．．接点フィンガー
【図１】
2009512123.tif 000003
【図２】
2009512123.tif 000004
【図３】
2009512123.tif 000005
【図４】
2009512123.tif 000006
【図５】
2009512123.tif 000007
【図６】
2009512123.tif 000008
【図７】
2009512123.tif 000009
【図８】
2009512123.tif 000010
【国際調査報告】
2009512123.tif 000011
2009512123.tif 000012
2009512123.tif 000013
2009512123.tif 000014